(57)【要約】【課題】  メタデータパーティションが規定された光ディスクにおいて、メタデータパーティションを拡張する際に、シーク速度が低下することを抑止可能な情報記録再生装置および情報記録再生方法を、提供する。【解決手段】  この発明は、記録メディアに対して、主たる第１の管理情報群と副である第２の管理情報群とを含むことができるデータ構造を有する記録メディアに対する書き込みおよび読み出し機能を有する情報記録再生装置であって、記録メディア上で管理情報が記述されている領域の分割の度合いが小さいのは前記主たる第１の管理情報群と前記副である第２の管理情報群のいずれであるかをチェックして保持する機能を有し、記録メディメディアからの情報の読み出しに際して、前記保持した情報に基づいて分割の度合いが小さい方の管理情報群に記述された管理情報を使用することを特徴とする。【選択図】  図３
2006351151.tif 000002
【特許請求の範囲】
【請求項１】
主たる第１の管理情報群と副である第２の管理情報群とを含むことができるデータ構造を有する記録メディアに対する書き込みおよび読み出し機能を有する情報記録再生装置であって、
記録メディア上で管理情報が記述されている領域の分割の度合いが小さい管理情報群が前記第１の管理情報群と前記第２の管理情報群のいずれであるかをチェックして保持し、記録メディアからの情報の読み出しに際して、前記保持した情報に基づいて分割の度合いが小さい方の管理情報群に記述された管理情報を使用することを特徴とする情報記録再生装置。
【請求項２】
主たる第１の管理情報群と副である第２の管理情報群とを含むことができるデータ構造を有する記録メディアに対する書き込みおよび読み出し機能を有する情報記録再生装置であって、
記録メディア上で管理情報が記述されている領域の分割の度合いが小さい管理情報群が前記第１の管理情報群と前記第２の管理情報群のいずれであるかをチェックして保持し、前記保持した情報に基づいて分割の度合いが小さい方の前記管理情報群を、あらためて主たる第１の管理情報群に設定し、かつ分割の度合いが大きい方をあらためて副である第２の管理情報群に設定し、記録メディアからの情報の読み出しに際して、前記あらためて設定された前記第１の管理情報群に記述された管理情報を使用することを特徴とする情報記録再生装置。
【請求項３】
主たる第１の管理情報群と副である第２の管理情報群とを含むことができるデータ構造を有する記録メディアに対する書き込みおよび読み出し機能を有する情報記録再生装置であって、
記録メディアへの情報の書き込みに際して、記録メディア上における情報書き込み領域の始点に近い側に前記第２の管理情報群を書き込み、情報書き込み領域の終点に近い側に前記第１の管理情報群を書き込むことを特徴とする情報記録再生装置。
【請求項４】
ファイルデータを保持可能な記録メディアに２以上の管理情報の書き込まれている領域があることを検出し、
管理情報が書き込まれている領域が２以上である場合に、それぞれの領域のうち、先にアクセスすべき領域がいずれの領域であるかをその書き込まれている領域を参照して判定し、
判定された先にアクセスすべき領域に書き込まれている管理情報に基づいて、記録メディアに記録されている情報を読み出す、
ことを特徴とする情報再生方法。
【請求項５】
２以上の管理情報の書き込まれている領域があることを検出した場合、そのいずれかの領域に優先してアクセスすることが指定されているか否かを、先にアクセスすべき領域がいずれの領域であるかを判定する前に検索（判定）することを特徴とする請求項４記載の情報再生方法。
【請求項６】
管理情報が書き込まれている領域が２以上である場合に、それぞれの領域のうち、先にアクセスすべき領域を、個々の領域のうちの分割の度合いの少ない方に指定し、記録メディアの所定の領域に、指定された領域への優先アクセスを可能とする情報＜＜フラグ＞＞を書き込むことを特徴とする請求項４記載の情報再生方法。
【請求項７】
第１の管理情報群と第１の管理情報群と等しい管理情報群である第２の管理情報群とを含むことができるデータ構造を有する記録メディアに対する書きこむ機能を有する情報記録方法であって、
記録メディアの任意の記録領域に、第１または第２の管理情報群のいずれか一方を書き込み、
記録メディアの記録領域のうちの、ファイルデータが順に記録された場合であっても、独立した記録領域を確保可能な領域に、残りの一方の管理情報群を書き込み、
ファイルデータが順に記録された場合であっても、独立した記録領域を確保可能な領域に書き込まれた管理情報群への優先アクセスを可能とする情報＜＜フラグ＞＞を記録メディアの所定の領域に書き込む
ことを特徴とする情報記録方法。
【請求項８】
ファイルデータが順に記録された場合であっても、独立した記録領域を確保可能な領域は、記録メディアの情報記録可能領域の終端側、特に記録メディアがディスク状である場合にはその外周寄りに規定されることを特徴とする請求項７記載の情報記録方法。
【請求項９】
ファイルデータを、所定のデータ構造により記録媒体に記録し、要求に従って記録媒体から再生する情報記録再生装置において、
記録媒体のファイルデータが記録可能な領域とは異なる記録領域に、ファイルデータを管理可能とするための少なくとも１つの管理情報を含む第１の管理情報群と第１の管理情報群が保持する管理情報を複製した少なくとも１つの管理情報を含む第２の管理情報群とを、記録媒体の所定の記録領域に、それぞれ独立に書き込む管理情報データ書き込み制御手段＜＜図１の制御ブロック３０＞＞と、
ファイルデータを再生する際に、記録媒体に書き込まれている第１の管理情報群および第２の管理情報群のうちの管理情報が書き込まれている領域の分割数の少ない管理情報群に記録されている管理情報に基づく、再生対象のファイルデータへのアクセスを指示する管理情報優先度判定手段と、
を有することを特徴とする情報記録再生装置。
【発明の詳細な説明】
【技術分野】
【０００１】
この発明は、記録密度を高めた次世代光ディスクにおいて、シーク速度が低下することを抑止可能な情報記録再生装置および情報記録再生方法に関する。
【背景技術】
【０００２】
ＤＶＤ規格の光ディスクが実用化されて久しい。これまでに、ファイルシステムの規格として、ＤＶＤ−Ｖｉｄｅｏ（再生専用ソフト向け）のＵＤＦ（Universal Disc Format，ユニバーサルディスクフォーマット）１．０２や、ＤＶＤ−ＶＲ（記録可能なディスク向け）のＵＤＦ２．００が策定され、運用されている。なお、より記録密度を高めた次世代の光ディスク（ＨＤ  ＤＶＤ，Ｂｌｕ−Ｒａｙ）向けに、ＵＤＦ２．５０が策定されている。
【０００３】
ＵＤＦ２．５０には、ＵＤＦ２．００に比較して、Metadata Partition（メタデータパーティション）という仕組みが導入されている。これは、File Entry（ＦＥ，ファイルエントリ）やＦＩＤ（File Identifier Descriptors，ファイルアイデンティファイヤ−ディスクリプタ、以下、ファイル識別記述子と呼称する）などの管理情報を、メタデータパーティション中に集中的に配置するもので、シーク（seek）速度を向上させるために有益である。
【０００４】
メタデータパーティションは、Metadata File（メタデータファイル）によって、表現される。メタデータパーティションには、メタデータファイルと同一内容のMetadata Mirror File（メタデータミラーファイル）を設けることが可能であり、メタデータファイルと合わせて、管理情報の二重化を図ることができる。
【０００５】
メタデータパーティションは、拡張が可能であり、ファイル（file）や、ディレクトリ（directory）の増加によるファイルエントリ（ＦＥ）やファイル識別記述子（ＦＩＤ）などの管理情報の増加に対応することができる。
【０００６】
なお、特許文献１には、磁気ディスクにおいて、磁気ヘッドの移動等に要求される時間を短縮可能とするために、論理ディスク内を複数の領域に分割することが示されている。
【特許文献１】特開平１０−３１２６４６号公報
【発明の開示】
【発明が解決しようとする課題】
【０００７】
しかしながら、記録メディア（記録媒体）上での、既存のデータ（data）の記録状態によっては、メタデータパーティションを拡張する際に、メタデータファイルやメタデータミラーファイルの細分化を生じる（両ファイルが複数に分割される）ことがあり、これによって、シーク速度が低下する虞がある。この場合、メタデータパーティションの利点を生かせなくなり、ユーザの利便性を損なう、例えばデータの書き込みや読み出しに必要な時間が増大される虞がある。
【０００８】
この発明の目的は、（次世代光ディスク向けのＵＤＦ２．５０）において、メタデータパーティションを拡張する際に、シーク速度の低下を抑止し、データの書き込みあるいは読み出しに要求される時間を低減可能な情報記録再生装置および情報記録再生方法を提供することである。
【課題を解決するための手段】
【０００９】
この発明は、主たる第１の管理情報群と副である第２の管理情報群とを含むことができるデータ構造を有する記録メディアに対する書き込みおよび読み出し機能を有する情報記録再生装置であって、記録メディア上で管理情報が記述されている領域の分割の度合いが小さい管理情報群が前記第１の管理情報群と前記第２の管理情報群のいずれであるかをチェックして保持し、記録メディアからの情報の読み出しに際して、前記保持した情報に基づいて分割の度合いが小さい方の管理情報群に記述された管理情報を使用することを特徴とする情報記録再生装置を提供するものである。
【発明の効果】
【００１０】
以上説明したように、本発明によれば、細分化が少ない方のメタデータパーティションを優先してアクセスして情報を読み出す、あるいは主にアクセスされるメタデータパーティションを、細分化のリスクの少ない位置（光ディスクの外周（終端）側など）に、記述（配置）することにより、シーク速度の低下を抑えることができる。これにより、例えば任意のファイルへのアクセス速度が低下しにくいなど、ユーザの利便性が向上される。
【発明を実施するための最良の形態】
【００１１】
以下、図面を参照して、この発明の実施の形態について詳細に説明する。
【００１２】
なお、本発明による情報記録再生装置には、たとえばパーソナルコンピュータ（ＰＣ）なども該当し、記録メディア（記録媒体）に記録される情報としては、ドキュメント情報などであってもよいことはいうまでもない。また、発明の実施形態としては、ディジタルビデオレコーダを例に説明する。
【００１３】
図１は、この発明を適用した情報記録再生装置の実施の一形態を示す。図１の記録再生装置においては、記録媒体として、ＤＶＤ規格の光ディスクとハードディスク装置に内装されたハードディスクが設けられた例を説明するが、ハードディスクあるいはＤＶＤなどの光ディスクなどに代えて、例えば半導体メモリ（メモリカード）を記録媒体とすることも可能である。
【００１４】
図１に示す情報記録再生装置（ビデオレコーダ）１は、例えばＤＶＤ規格の光ディスク（Medium）Ｍに、ビデオファイルを構築できるディスクドライブ部１００１を有する。光ディスクＭは、例えばＣＤ規格であってもよく、あるいは現行のＤＶＤ規格の光ディスクに比較してさらに記録容量が高められているＨＤ（High Density）  ＤＶＤやBlue-Ray （ブルーレイ）ディスクであってもよいことはいうまでもない。
【００１５】
ディスクドライブ部１００１は、詳述しないが、光ディスクＭを所定速度で回転させる回転制御系、光ディスクＭの記録面に情報を記録し、あるいは光ディスクＭに記録されている情報を再生するための所定波長のレーザ光を照射するレーザ駆動系およびそのレーザ光を案内するレーザ光学系などを有する。
【００１６】
情報記録再生装置（ビデオレコーダ）１はまた、ハードディスク装置（以下、ＨＤＤと示す）２００１に収容されているハードディスクＨＤに対しても、同様にビデオファイルを構築できる。
【００１７】
ディスクドライブ部１００１に装填された光ディスクＭまたはＨＤＤ２００１のハードディスクＨＤに記録すべきデータ（記録データ）は、データプロセッサ部１０１の制御により、（予め指定された）記録媒体（光ディスクＭあるいはハードディスクＨＤ）に記録される。また、データプロセッサ部１０１の制御により、ディスクドライブ部１００１の光ディスクＭまたはＨＤＤ２００１のハードディスクＨＤから、記録されているデータが読み出される（再生データが得られる）。
【００１８】
データプロセッサ部１０１は、記録データまたは再生データを、所定の単位として取り扱うもので、バッファ回路、変調・復調回路、エラー訂正部などを含む。
【００１９】
情報記録再生装置１はまた、入力情報を記録するためのデータ処理部であるエンコーダ部５０と、既に記録されているデータを再生するデータ処理部であるデコーダ部６０と、情報記録再生装置１の動作を制御するマイクロコンピュータブロック３０とを、主要部として、有する。
【００２０】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２１】
エンコーダ部５０の出力は、バッファメモリを含むフォーマッタ５１にて所定のＤＶＤ−ＲＡＭのフォーマットに変換され、先のデータプロセッサ部１０１に供給される。
【００２２】
エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００２３】
なお、エンコーダ部５０は、圧縮されたデジタルビデオ信号やデジタルオーディオ信号が、直接入力される場合は、その圧縮デジタルビデオ信号やデジタルオーディオ信号を、フォーマッタ５１に、直接供給することもできる。また、エンコーダ部５０は、アナログデジタル変換されたデジタルビデオ信号やオーディオ信号を、ビデオミキシング部７１やオーディオセレクタ７６に、直接供給することもできる。
【００２４】
エンコーダ部５０は、図示しないがビデオエンコーダを含み、そのビデオエンコーダにおいて、デジタルビデオ信号が、例えばＭＰＥＧ２またはＭＰＥＧ１規格に基づいた可変ビットレートで圧縮されたデジタルビデオ信号に変換される。また、デジタルオーディオ信号は、例えばＭＰＥＧあるいはＡＣ−３規格に基づいて固定ビットレートで圧縮されたデジタルオーディオ信号、もしくはリニアＰＣＭなどの（非圧縮の）デジタルオーディオ信号に変換される。
【００２５】
副映像信号については、ＡＶ（オーディオ・ビデオ）入力部４１を経由して、（副映像信号が）直接入力される場合（例えば、副映像信号向けの独立した出力端子が設けられているビデオプレーヤからの信号など）、あるいは同等のデータ構成のＤＶＤビデオ信号の放送信号がＴＶチューナ部４２で受信された場合において、ＤＶＤビデオ信号中の副映像信号が、副映像エンコーダでエンコード（ランレングス符号化）されて、副映像のビットマップ（副映像データ）が構築される。
【００２６】
エンコードされたデジタルビデオ信号、デジタルオーディオ信号ならびに副映像データは、フォーマッタ５１において、ビデオパック、オーディオパックおよび副映像パックとしてパック化される。パック化された、ビデオパック、オーディオパックならびに副映像パックは、さらに集合（集約）され、ＤＶＤ−ビデオ規格に規定されているフォーマット（ＤＶＤ  Ｖｉｄｅｏフォーマット）や、ＤＶＤ−レコーディング規格に規定されているフォーマット（ＤＶＤ  ＶＲフォーマット）に変換される。
【００２７】
フォーマッタ５１でフォーマットされた情報（ビデオ、オーディオ、副映像データなどのパック）ならびに（後段に示すが）ＭＰＵ（ＣＰＵ）３１ａにより作成される管理情報（ファイルシステム）は、データプロセッサ部１０１を介してＨＤＤ２００１またはディスクドライブ部１００１に供給され、ハードディスクＨＤまたは光ディスクＭに記録することができる。なお、ハードディスクＨＤあるいは光ディスクＭに記録された情報は、データプロセッサ部１０１を介して、相互に置き換えまたは複製可能である。すなわち、既にハードディスクＨＤに記録されているデータは、光ディスクＭに移動または複製可能で、光ディスクＭに記録されているデータも、ハードディスクＨＤに移動または複製可能である。
【００２８】
また、ハードディスクＨＤあるいは光ディスクＭに記録されているデータ、例えば番組のビデオオブジェクトは、一部または全部の削除や任意数のオブジェクトの合成（接続）という、編集処理も可能である。これは、本発明にかかるフォーマットが取り扱うデータ単位を定義し、編集を容易にしているからである。
【００２９】
マイクロコンピュータブロック３０は、例えばＭＰＵ（マイクロプロセッシングユニット）もしくはＣＰＵ（セントラルプロセッシングユニット）３１ａを含む主制御部３１、ＭＰＵ（ＣＰＵ）３１ａや、情報記録再生装置１のさまざまな要素ならびに制御ブロック等を動作させる制御プログラムなどを保持するＲＯＭ（読出し専用メモリ）３１ｂ、プログラムを実行するために確保すべき所定のワークエリアを提供するＲＡＭ（ランダムアクセスメモリ）３１ｃを、含む。
【００３０】
マイクロコンピュータブロック３０においては、ＲＡＭ３１ｃをワークエリアとして、ＭＰＵ（ＣＰＵ）３１ａによるＲＯＭ３１ｂに格納されている制御プログラムに従った、欠陥場所検出、未記録領域検出、録画情報記録位置設定、ＵＤＦ記録、あるいはＡＶアドレス設定などが実行される。
【００３１】
また、マイクロコンピュータブロック３０は、ディレクトリ検出部３２や、詳述しないが、ＶＭＧ情報（全体のビデオ管理情報）作成部、コピー（複製）関連情報検知部、コピー（複製）／スクランブリング情報処理部（ＲＤＩ処理部）、パケットヘッダ処理部、シーケンスヘッダ処理部、ならびにアスペクト比情報処理部などを備える。マイクロコンピュータブロック３０は、情報（データ）の記録（録画）を実行する際の録画時の管理情報制御部（以下、録画管理制御部とする）３３、および記録済みデータの編集を実行する際の編集時の管理情報制御部（以下、編集管理制御部）３４を備える。本発明が特徴としている手段は、制御プログラムの形で、この編集を実行する際の管理情報の制御部３４および録画を実行する際の管理情報の制御部３３で実行される。
【００３２】
ＭＰＵ（ＣＰＵ）３１ａの実行結果のうち、ユーザに通知すべき内容は、情報記録再生装置１の表示部４３、または（後述するが、外部機器として接続される）モニタ装置に、ＯＳＤ（オンスクリーンディスプレイ）表示される。
【００３３】
また、マイクロコンピュータブロック３０は、装置１を動作させるためのユーザからの制御信号、すなわち操作信号を（マイクロコンピュータブロック３０に）入力可能とするキー入力部４４を有する。キー入力部４４は、記録再生装置１の任意の位置に設けられる操作スイッチ類や、図示しないがリモコン受信部を経由して、操作信号を入力可能な図示しないリモコン装置に相当する。なお、キー入力部４４は、記録再生装置１と、有線あるいは無線もしく光（赤外線を含む）などにより、制御信号の入力を可能とするパーソナルコンピュータであってもよい。すなわち、キー入力部４４がいずれの形態であるにせよ、ユーザがキー入力部４４を操作することにより、入力された映像音声信号の録画処理や、録画されたコンテンツの再生処理、あるいは録画されたコンテンツに対する編集処理などが実行される。
【００３４】
なお、マイクロコンピュータブロック３０が、ディスクドライブ部１００１、ＨＤＤ２００１、データプロセッサ部１０１、エンコーダ部５０、デコーダ部６０などを制御するタイミングは、ＳＴＣ（システムタイムクロック）３８からの時間データに基づく。録画や再生の動作は、通常はＳＴＣ３８からのタイムクロックに同期して実行される。但し、それ以外の処理は、ＳＴＣ３８とは、独立したタイミングで実行されてもよい。
【００３５】
デコーダ部６０は、詳述しないが、パック構造が与えられているＤＶＤフォーマットの信号からそれぞれのパックを分離して取り出すセパレータ、パックの分離やその他の信号処理において利用されるメモリ、セパレータで分離された主映像データ（ビデオパックの内容）をデコードするＶデコーダ、セパレータで分離された副映像データ（副映像パックの内容）をデコードするＳＰデコーダ、およびセパレータで分離されたオーディオデータ（オーディオパックの内容）をデコードするＡデコーダなどを含む。
【００３６】
また、デコーダ部６０は、所定タイミングで、デコードされた主映像にデコードされた副映像をタイミングで合成し、（主映像に、）メニュー、ハイライトボタン、字幕（音声の文字表示）、その他の副映像を重ねて出力するビデオプロセッサを備える。
【００３７】
デコーダ部６０の出力ビデオ信号は、ビデオミキシング（Ｖミキシング）部７１に入力される。Ｖミキシング部７１では、テキストデータが（副映像が合成されている）主映像に、合成される。なお、Ｖミキシング部７１には、ＴＶチューナ４２やＡ／Ｖ入力部４１からの信号が、直接入力可能なラインもまた接続されている。
【００３８】
Ｖミキシング部７１にはまた、バッファとして用いるフレームメモリ７２、ミキシング部７１からの出力信号の出力において、アナログ信号の出力に利用されるＩ／Ｆ（インタフェース）７３、ならびにデジタル信号の出力に利用されるＤ／Ａコンバータ（デジタル−アナログ変換器）７４が接続されている。
【００３９】
デコーダ部６０から出力されるオーディオ信号（出力）は、セレクタ７６を通じてＤ／Ａ（デジタル−アナログ変換器）７７に入力され、Ｄ／Ａコンバータ７７によりアナログ変換され、外部に出力される。例えば、Ｄ／Ａコンバータ７７の出力端に図示しない増幅器を介してスピーカが接続されている場合には、オーディオ（音声）がユーザにより可聴できる。なお、セレクタ７６は、マイクロコンピュータブロック３０からのセレクト信号により制御される。これにより、セレクタ７６は、ＴＶチューナ４２やＡ／Ｖ入力部４１からの（エンコーダ部による処理が不要な）デジタル信号については、エンコーダ部５０をスルーさせた信号を、直接Ｄ／Ａ７７に供給可能である。
【００４０】
なお、エンコーダ部５０のフォーマッタ５１では、データの記録（録画）中、さまざまな切り分け情報が作成され、マイクロコンピュータブロック３０のＭＰＵ（ＣＰＵ）３１ａへ定期的に、送る（ＧＯＰ先頭への割り込み時などの情報）。切り分け情報としては、ＶＯＢＵのパック数、ＶＯＢＵ先頭からのＩピクチャのエンドアドレス、ＶＯＢＵの再生時間などである。
【００４１】
フォーマッタ５１からはまた、ＭＰＵ（ＣＰＵ）３１ａに、アスペクト情報処理部からのアスペクト比情報などが、録画開始時に供給される。この情報に基づいて、ＭＰＵ（ＣＰＵ）３１ａにより、ＶＯＢストリーム情報（ＳＴＩ）が作成される。ＳＴＩは、解像度データ、アスペクトデータなどを含み、再生時には、各デコーダ部において、この情報を元に初期設定が行われる。
【００４２】
なお、情報記録再生装置１では、ビデオファイルを、１ディスクに、１ファイルとしている。また、データにアクセス（シーク）している間に、再生中の画像が途切れることを防止するために、最低限連続する情報単位（サイズ）を決めている。この単位を、ＣＤＡ（コンティギュアス・データ・エリア）と、称される。ＣＤＡサイズは、ＥＣＣ（エラー訂正コード）ブロック（１６セクタ）の倍数であり、ファイルシステムでは、このＣＤＡ単位で記録を行っている。
【００４３】
データプロセッサ部１０１は、エンコーダ部５０のフォーマッタ５１からＶＯＢＵ単位のデータを受け取り、ＣＤＡ単位のデータを、ディスクドライブ部１００１またはＨＤＤ２００１に供給する。また、マイクロコンピュータブロック３０のＭＰＵ（ＣＰＵ）３１ａは、記録したデータを再生するために必要な管理情報を作成し、データの記録が終了したことを示すデータ記録終了コマンドを認識すると、作成した管理情報を、データプロセッサ部１０１に送る。
【００４４】
これにより、管理情報が、記録媒体（光ディスクＭまたはハードディスクＨＤ）に記録される。従って、エンコード時には、ＭＰＵ（ＣＰＵ）３１ａは、エンコーダ部５０からデータ単位の情報（切り分け情報など）を、受け取ることができる。また、ＭＰＵ（ＣＰＵ）３１ａは、記録開始時には、光ディスクＭまたはハードディスクＨＤから読み取った管理情報（ファイルシステム）を認識し、各ディスクの未記録エリアを認識し、データ上の記録エリアを、データプロセッサ部１０１を介してディスクに設定する。
【００４５】
図２および図３に、ＵＤＦ（Universal Disc Format，ユニバーサルディスクフォーマット）のRevision（改訂）２．５０（以下、ＵＤＦ２．５０と表記する）に規定されたデータ構造の概要を示す。
【００４６】
図２は、記録メディア（媒体）上におけるデータ構造全体の概要を、示す。図３は、図２に示すデータ構造のうちで特徴的な構造であるPartition（パーティション）の内部の概要を、示す。図２の枠外に示したＡ，Ｂは、論理セクタ番号ＬＳＮ（Logical Sector Number）であり、図３の枠外に示したａ，ｂ，ｃ，…，は、パーティション内部の論理ブロック番号ＬＢＮ（Logical Block Number）である。
【００４７】
まず、図２に示した、データ構造全体２０１の構成を説明する。
【００４８】
データ構造全体２０１において、ＵＤＦの規定外の領域には、システム領域（System Area）２０２が規定されている。図２には示していないが、システム領域２０２は、ＬＳＮの値が０から１６までの領域とされている。
【００４９】
次に、Volume Recognition Sequence（ＶＲＳ，ボリュームレコニションシーケンス）２０３が位置されている。図２では省略しているが、ＶＲＳ２０３には、Volume Structure Descriptor（ボリュームストラクチャ−ディスクリプタ）やBoot Descriptor（ブート−ディスクリプタ）といった記述子が存在する。
【００５０】
続いて、Volume Descriptor Sequence（ボリュームディスクリプタシーケンス）が規定されている。ボリュームディスクリプタシーケンスには、主となるMain Volume Descriptor Sequence（メインボリュームディスクリプタシーケンス）２０４と、副であるReserve Volume Descriptor Sequence（リザーブボリュームディスクリプタシーケンス）２１０が存在する。これら２つのボリュームディスクリプタシーケンス２０４，２１０の内容は同一である。
【００５１】
それぞれのボリュームディスクリプタシーケンス２０４と２１０とが存在する位置は、後述のAnchor Point（アンカーポイント）２０８，２０９，２１１の中に存在するAnchor Volume Descriptor pointer（アンカーボリュームディスクリプタポインタ）に記述されている。
【００５２】
メインボリュームディスクリプタシーケンス２０４を例に説明するが、シーケンス２０４には、複数種類の記述子が含まれる。ここでは、Partition Descriptor（パーティションディスクリプタ）２０５とLogical Volume Descriptor（ロジカルボリュームディスクリプタ）２０６の２つについて説明する。
【００５３】
パーティションディスクリプタ２０５には、ディレクトリ（directory）、ファイルの管理情報、およびファイルデータが書き込まれる領域であるパーティション３０１のサイズと位置が記述されている。この例では、パーティション３０１は、ＬＳＮ値で、Ａ〜Ｂの範囲であることが記述されている。
【００５４】
ロジカルボリュームディスクリプタ２０６には、論理ボリュームに関する情報が記述されている。ロジカルボリュームディスクリプタ２０６の中には、Partition Maps（パーティションマップズ）というデータフィールドが設けられており、そこには、Partition Map（パーティションマップ）という情報が記述されている。
【００５５】
パーティションマップには、Type １（タイプ１）２１２とType ２（タイプ２）２１３の２種類が規定されている。タイプ１のパーティションマップは、ＵＤＦ規格の基となっているECMA １６７（エクマ１６７）規格により定義されているもので、ディレクトリ、ファイルの管理情報、およびファイルデータが書き込まれる通常のパーティションを示す。タイプ２のパーティションマップは、エクマ１６７の規格外のパーティションを示すものである。すなわち、タイプ２のパーティションマップは、ＵＤＦ規格の独自のパーティションマップを示すために使用される。
【００５６】
ＵＤＦ２．５０の独自のパーティションマップとしては、例えばMetadata Partition（メタデータパーティション）である。すなわち、図２においては、メタデータパーティションを示すためのタイプ２のパーティションマップが示されている。
【００５７】
タイプ２のパーティションマップには、Metadata File（メタデータファイル）やMetadata Mirror File（メタデータミラーファイル）、Metadata Bitmap File（メタデータビットマップファイル）のファイルエントリ（FE）の位置を示す情報およびメタデータミラーファイルの存在の有無を示すDuplicate Metadata Flag（デュプリケートメタデータフラグ）などの情報が含まれている。
【００５８】
なお、図２には示されていないが、ＵＤＦ２．５０規格では、メタデータパーティションを示すためのタイプ２のパーティションマップ、すなわちMetadata Partition Map（メタデータパーティションマップ）は、Identifier Field（アイデンティファイヤ−フィールド）に、「＊UDF Metadata Partition（＊メタデータパーティション）」という識別情報が記述されている。
【００５９】
また、ＵＤＦ規格では、ロジカルボリュームディスクリプタ２０６のLogical Volume Contens Use Field（ロジカルボリュームコンテンツユース−フィールド）に、ディレクトリやファイルにアクセスする際の基準であるFile Set Descriptor（ファイルセットディスクリプタ）の位置情報が記述されている。
【００６０】
なお、図２では省略しているが、ボリュームディスクリプタシーケンスには、ほかにPrimary Volume Descriptor（プライマリボリュームディスクリプタ）など数種類の記述子が存在する。
【００６１】
また、ボリュームディスクリプタシーケンス（２０４）に続いて、Logical Volume Integrity Sequence（ロジカルボリュームインテグリティシーケンス）２０７が規定されている。図２では省略しているが、ロジカルボリュームインテグリティシーケンス２０７には、Logical Volume Integrity Descriptor（ロジカルボリュームインテグリティディスクリプタ）が記述されている。
【００６２】
アンカーポイント２０８，２０９，２１１には、先に説明したように、メインボリュームディスクリプタシーケンス２０４とリザーブボリュームディスクリプタシーケンス２１０の位置情報が記述されているアンカーボリュームディスクリプタポインタが存在する。
【００６３】
アンカーボリュームディスクリプタポインタは、記録メディアのデータにアクセスするための入り口であるため、その記述位置は、ＵＤＦ規格で規定されている。
【００６４】
ＵＤＦ２．５０では、    
“ＬＳＮ  ＝  ２５６”，    
“ＬＳＮ  ＝  Ｎ−２５６”，    
“ＬＳＮ  ＝  Ｎ”    
Ｎは、最後のＬＳＮ    
の３箇所のうちの少なくとも２箇所にアンカーポイントが存在しなくてはならないとされている。
【００６５】
図２では、アンカーポイント２０８が“ＬＳＮ  ＝  ２５６”の位置、アンカーポイント２１１が“ＬＳＮ  ＝  Ｎ−２５６”の位置、アンカーポイント２１１が“ＬＳＮ  ＝  Ｎ”の位置にあるものとしている。
【００６６】
次に、図３により、パーティションマップの内部の概要を説明する。
【００６７】
ここでは、先に述べたメタデータパーティションマップ２１２に記述されているＬＢＮ  ＝  ａ，ｂ，ｃの位置にファイルエントリ（ＦＥ）が存在する。
【００６８】
図３で、ＬＢＮ  ＝  ａの位置に存在するファイルエントリ３１１は、ＬＢＮ値がｃ〜ｄの範囲を占めるファイルを示している。この（ＬＢＮ値が）ｃ〜ｄの範囲を占めるファイルがメタデータファイル３１３であり、その内部空間がメタデータパーティションと呼ばれる。この中に、ディレクトリやファイルに対するファイルエントリやファイルアイデンティファイヤ−ディスクリプタ（ＦＩＤ）といった管理情報が集中的に記述される。
【００６９】
このメタデータパーティションという仕組みは、ＵＤＦ２．５０から新たに盛り込まれたものである。従来のＵＤＦのRevisionでは、ファイルやディレクトリのデータの削除や追記を繰り返していくと、ＦＥやＦＩＤといった管理情報は、その時点での記録メディア上の空き領域に記録されるため、それらの管理情報は、記録メディア上のバラバラの位置に点在することになる。
【００７０】
ところで、近年、青色レーザを使用するBlue-Ray （ブルーレイ）ディスクやＨＤ  ＤＶＤなどの大容量記録メディアが登場しているが、このような記録メディア上で、ＦＥやＦＩＤといった管理情報がバラバラの位置に点在していると、シーク時間の長大化などの弊害が生じる。そのため、ＦＥやＦＩＤなどの管理情報を記録メディア上に集中的に配置して、シーク時間の低減化を図ることを目的としてＵＤＦ２．５０から導入されたのが、このメタデータパーティションである。
【００７１】
一方、図３で、ＬＢＮ  ＝  ｅの位置に存在するＦＥ３１８は、ＬＢＮ値が、ｆ〜ｇの範囲を占めるファイルを示している。この（ＬＢＮ値が）ｆ〜ｇの範囲を占めるファイルがメタデータミラーファイル（Metadata File［Mirror］）３１９である。
【００７２】
メタデータミラーファイル３１９の内容は、先に説明したメタデータファイル３１３と全く同じものである。これは、従来のＵＤＦのRevisionには含まれていない、ディスクの汚れや傷といったような、記録メディアのダメージに対するロバスト性を高めることを目的として、ＵＤＦ２．５０から盛り込まれたものである。なお、メタデータミラーファイルの使用は任意とされている。ロバスト性向上の見地からは使用することが望ましく、おそらくＵＤＦ２．５０に基づいた多くのシステムで使用されるものと思われるが、必ず使用しなくてはならないものではない。
【００７３】
メタデータミラーファイルを使用しているか否かは、先に述べたメタデータパーティションマップ２１２の中に存在するデュプリケートメタデータフラグによって判別する。
【００７４】
デュプリケートメタデータフラグに“１”がセットされているときには、メインとなるメタデータファイル（３１３）に加えてメタデータミラーファイル（３１９）も使用されていることになる。一方、デュプリケートメタデータフラグがクリア（“０”がセット）されているときは、メタデータミラーファイルは、存在しないことになる。
【００７５】
図３で、ＬＢＮ  ＝  ｂの位置に存在するＦＥ３１２は、メタデータパーティション内の個々の論理ブロックが、データ記録に使用されているか否かを表すメタデータビットマップファイルを示すものである。メタデータビットマップファイルは、独立したファイルとして存在させることも可能であるが、規格上、ＦＥのAllocation Descriptors（アロケーションディスクリプタズ）フィールドに納めてしまうことも可能である。図３の例は、後者に則った例であり、メタデータビットマップファイルは、ＦＥ３１２のアロケーションディスクリプタズフィールド内に含まれているものとしているため、図示されていない。なお、このメタデータビットマップファイルは、メタデータパーティション内の論理ブロックの使用状態を表すものであり、メタデータパーティションを含むパーティション３０１の全体に対するものではない。パーティション３０１内の論理ブロックの使用状態を表しているSpace Bitmap Descriptor（スペースビットマップディスクリプタ）は、別途存在するが、図３では省略している。
【００７６】
次に、メタデータファイルとメタデータミラーファイルについてさらに詳細に説明する。なお、メタデータファイル３１３が表現しているメタデータパーティションとメタデータミラーファイル３１９が表現しているメタデータパーティションの内容は同一であるため、ここでは、前者（メタデータファイル）のメタデータパーティションの内容について説明することとする。
【００７７】
メタデータパーティションの中には、ルートディレクトリやサブディレクトリなどのディレクトリ情報や、ファイルの管理情報であるＦＥやＦＩＤなどが記述される。図３は、記録メディアの初期化が実施された直後のイメージを示しているため、この時点ではルートディレクトリが構築されている程度であるが、サブディレクトリの構築やファイルの記録が実施されると、このメタデータパーティションの中にＦＥやＦＩＤなどが次々と記述されていく。
【００７８】
なお、ファイルの管理情報であるＦＥやＦＩＤは、メタデータパーティションの中に記述されるが、ファイルのデータはメタデータパーティションの外に書き込まれる。
【００７９】
図４は、メタデータパーティションの拡張が生じたときのデータ構造の概要を、従来の手法により拡張する例を示す図である。なお、この図４では、先に説明した図３に示したパーティション３０１の内部の状態のみを示している。ただし、説明を簡単にするため、メタデータパーティションの内容については記載を省略している。
【００８０】
記録メディア上に新たなサブディレクトリを構築したり、または新たなファイルを追記していくことにより、メタデータパーティションの内部にＦＥやＦＩＤなどの管理情報がどんどん追加されていく。つまり、ファイルの記録に伴って、メタデータパーティション内のＦＥやＦＩＤがどんどん増加していき、いずれはメタデータパーティションに納まりきらなくなることがありえる。
【００８１】
そのような場合、メタデータパーティションの範囲を拡張することにより、更なるファイルの追記に対応することが可能である。
【００８２】
メタデータパーティションの範囲は、メタデータファイルやメタデータミラーファイルを指しているＦＥのアロケーションディスクリプタズフィールドに記述されているので、同フィールドの記述を再設定することでメタデータパーティションの範囲を拡張することができる。
【００８３】
しかしながら、メタデータパーティションの拡張を試みた時点における記録メディア上のデータの記録状態によっては、メタデータパーティションの実体であるメタデータファイルやメタデータミラーファイルがひとかたまりとならずに、細分化されることがある。
【００８４】
図４の例では、メタデータミラーファイル４０５については拡張したメタデータパーティションの領域４１０とひとかたまりの範囲を確保することができ、メタデータミラーファイルのＦＥ４０４には、ＬＢＮ  ＝  ｆ〜ｍの連続した範囲が、拡張後の新たなメタデータパーティションとして記述されている。
【００８５】
これに対し、（図４において）メインであるメタデータパーティション４０３については、既にＬＢＮ  ＝  ｄ〜ｈの範囲にファイルデータ４０６が記録され、さらにＬＢＮ  ＝  ｊ〜ｋの範囲にファイルデータ４０８が既に記録されてしまっているため、連続したひとかたまりのメタデータファイルを構築することができず、ＬＢＮ  ＝  ｃ〜ｄとＬＢＮ  ＝  ｈ〜ｉ、およびＬＢＮ  ＝  ｋ〜ｌの３つに細分化したメタデータファイルとなってしまっている（メタデータファイルが３つに分かれてしまう）。
【００８６】
このような場合、メインのメタデータファイルが表現するメタデータパーティションにアクセスする際、メタデータファイルの個々の細分化した範囲に（複数回）アクセスしなくてはならないため、シーク速度の低下を生じる。このことは、ＵＤＦ２．５０の特徴であるメタデータパーティションの利点を有益に活用できず、ユーザの利便性、例えば任意のファイルへのアクセス速度の低下を招くことになる。
【００８７】
以下、図５を使用して、本発明の実施例の一例を説明する。
【００８８】
図５は、記録メディアから情報を読み出す際の第１の手段の概要を示すフローチャートである。図５のフローチャートは、メタデータファイルおよびまたはメタデータミラーファイルのいずれであるかによらず、細分化された個数の少ない方のメタデータパーティションを優先的にアクセスする手法の一例を示している。
【００８９】
まず、ステップＳ５０１において、メタデータファイルとメタデータミラーファイルのどちらを優先的にアクセスするべきであるかの情報が、記録再生装置１に保持されているか否かが、チェックされる。
【００９０】
次に、ステップＳ５０２で、前記どちらを優先的にアクセスするべきであるかの情報が保持されているか否かの別に応じ、仮に保持されていない場合（Ｓ５０２−Ｎｏ）には、ステップＳ５０３により、メタデータパーティションマップの記述内容に従って、メタデータファイルとメタデータミラーファイルのそれぞれのＦＥの記述位置が検出される。判断される。すなわち、ステップＳ５０２においては、「優先的にアクセスするべきであるか」を示す情報の有無がチェックされ、その情報の有無に応じて後段の処理が分岐される。
【００９１】
以下、ステップＳ５０４において、メインのメタデータファイルについて、ＦＥのアロケーションディスクリプタズフィールドの記述内容から、メタデータファイルの細分化の状態がチェックされる。
【００９２】
また、ステップＳ５０５において、メタデータミラーファイルについて、ＦＥのアロケーションディスクリプタズフィールドの記述内容からメタデータミラーファイルの細分化（分割の有無、分割がある場合のその分割数）の状態がチェックされる。
【００９３】
以下、ステップＳ５０６にて、ステップＳ５０４およびステップＳ５０５の調査（チェック）結果に基づき、メタデータファイルとメタデータミラーファイルのうち、細分化の（分割数）少ない方を優先的にアクセスするものとしてそのファイルが選択され、どちらをアクセスするべきであるかの情報が記録再生装置１に保持される。
【００９４】
次に、ステップＳ５０７では、記録再生装置１に保持された「メタデータファイルとメタデータミラーファイルのどちらを優先的にアクセスするべきであるか」の情報に基づいて優先的にアクセスするべきメタデータパーティションを選択し、選択されたメタデータパーティションに記述されているディレクトリ情報やファイルの管理情報を読み出して、一連の処理を終了する。
【００９５】
一方、ステップＳ５０２において、メタデータファイルとメタデータミラーファイルのどちらを優先的にアクセスするべきであるかの情報が保持されていることが確認できた場合には、上述のステップＳ５０７がそのまま実行されることはいうまでもない。
【００９６】
以上のように、記録再生装置１に保持された情報に基づき、メタデータパーティション内の記述に従って、メタデータファイルとメタデータミラーファイルの細分化されたファイルが少ない方のメタデータファイルとメタデータミラーファイルに優先的にアクセスすることによって、読み出しに際してのシーク速度が低下することが抑止される。従って、ユーザの利便性、例えば任意のファイルへのアクセス速度が不所望に低下することが低減される。
【００９７】
図６は、記録メディアから情報を読み出す際の第２の手段の概要を示すフローチャートである。図６のフローチャートは、細分化の少ない方のメタデータファイルおよびまたはメタデータミラーファイルをメインのメタデータファイルに切り換えた上で優先的にアクセスする手法の一例を示している。
【００９８】
まず、ステップＳ６０１においては、細分化が少ないメタデータパーティションマップをメインのメタデータファイルに切り換える処理が済んだことを示すフラグが、記録再生装置１にセットされているか否かを調べる（切り換え処理の有無を示すフラグが“１”であるか否かがチェックされる）。
【００９９】
次に、ステップＳ６０２で、前記フラグがセットされているか否かの別に応じて処理を分岐している。仮にフラグがセットされていない場合には、ステップＳ６０３に進む。一方、セットされている場合には、以下のステップＳ６０３からステップＳ６０６までの処理をスルーしてステップＳ６０７に進む。
【０１００】
ステップＳ６０３では、メタデータパーティションマップの記述内容を解釈して、メタデータファイルとメタデータミラーファイルのそれぞれのＦＥの記述位置を検出する。
【０１０１】
ステップＳ６０４では、まず、メインのメタデータファイルについて、ＦＥのアロケーションディスクリプタズフィールドの記述内容からメタデータファイルの細分化の状態を調べる。
【０１０２】
続く、ステップＳ６０５では、メタデータミラーファイルについて、ＦＥのアロケーションディスクリプタズフィールドの記述内容からメタデータミラーファイルの細分化の状態を調べる。
【０１０３】
ステップＳ６０６では、ステップＳ６０４およびステップＳ６０５による調査の結果に基いて、細分化された個数（分割数）の少ない方のメタデータパーティションをメインのメタデータファイルに、そうでない方（他の一方すなわち残りのメタデータファイル）をメタデータミラーファイルに切り換える。具体的には、ステップＳ６０６において、メタデータパーティションマップに記述されたメタデータファイルとメタデータミラーファイルのそれぞれのＦＥの位置を書き換えて、細分化（分割数）が少ない方がメインのメタデータファイルとなるように切り換える。また、この切り換え処理が完了したことを示すフラグを記録再生装置１にセットする。
【０１０４】
最後に、ステップＳ６０７では、メインのメタデータファイルが表現しているメタデータパーティションに優先的にアクセスし、その中に記述されているディレクトリ情報やファイルの管理情報を読み出して、一連の処理を終了する。
【０１０５】
以上のように、細分化（分割数）が少ない方のメタデータパーティションを表現するものとして（予め）切り換えられたメタデータファイルを優先的にアクセスする、すなわちメタデータファイルとメタデータミラーファイルのうちの分割数の少ないファイルをメインにアクセスすべきメタデータファイルと規定することによって、読み出し時に、シーク速度が低下することが低減できる。従って、ユーザの利便性を損なう（例えば任意のファイルへのアクセス速度が遅くなる）ことを避けることができる。
【０１０６】
なお、図６に示したフローチャートに従うことにより、例えばメインとするメタデータファイルが実質的に固定されているような単純なロジックが与えられている他の記録再生装置を用いる場合などを用いて（記録メディアに記録されている情報を）再生するおいても、シーク速度が低下することを回避可能となる。
【０１０７】
図７は、図６により説明したフローチャートに従って細分化（分割数）が少ないメタデータパーティションをメインとなるメタデータファイルに切り換えた直後の記録メディア上のデータ構造の概要を示す。なお、この図７は、先に図４として説明したの状態の記録メディアに対してメタデータファイルの切り換え処理を施した状態を示している。また、この図７では、先に説明した図３に示した、パーティション（３０１）の内部の状態のみを示している。ただし、説明を簡単にするため、メタデータパーティションの内容については、図４と識別のため、それぞれ、１００位の桁を７００代とし、１０代（位の桁）と１台（位の桁）が同じデータ構造については、説明を省略している。
【０１０８】
図７から明らかなように、図４により既に説明したデータ構造に比較して、図７に示すデータ構造においては、タイプ２であるメタデータパーティション７１２の記述内容が変更されている（タイプ１であるパーティションマップ７１１には変更なし）。すなわち、図７に示すデータ構造においては、メタデータファイルのＦＥの位置が、ＬＢＮ  ＝  ｅに、メタデータミラーファイルのＦＥの位置がＬＢＮ  ＝  ａに切り換えられている。これにより、ＬＢＮ  ＝  ｆ〜ｍのひとかたまりの状態となっている方のメタデータパーティションがメインのメタデータファイルに、３つに分割（細分化）している方のメタデータパーティションが、メタデータミラーファイルに切り換えられていることがわかる。
【０１０９】
図８は、記録メディアを初期化する際におけるメタデータパーティションの設定手段の概要を示すフローチャートである。
【０１１０】
まず、ステップＳ８０１では、情報の書き込み領域であるパーティションの中に、ファイルの管理情報であるＦＥやＦＩＤなどを集中的にするための第１の領域を設定する。
【０１１１】
記録メディアがＤＶＤなどの光ディスクＭである場合、通常は、ディスクの内周側から外周側に向かってデータが記録される。このことから、特別な構造を与えない場合には、ディスクの内周側がパーティションの始点側、外周側がパーティションの終点側となる。
【０１１２】
図８に示すフローチャートにおいては、ステップＳ８０１で、上述した第１の領域を、パーティションの始点側に配置する。
【０１１３】
次に、ステップＳ８０２において、情報の書き込み領域であるパーティションの中に、上述のＦＥやＦＩＤなどを集中的にするための第２の領域を設定する。ここで、ステップＳ８０２で、上述した第２の領域を、パーティションの終点側（すなわち記録メディアが光ディスクである場合には、外周寄り）に配置する。
【０１１４】
以下、ステップＳ８０３において、第１の領域および第２の領域のそれぞれを、アロケーションディスクリプタズフィールドで指し示しているＦＥを記録メディアに記述する。
【０１１５】
次に、ステップＳ８０４で、メタデータパーティションマップのメタデータファイルロケーションフィールドに、第２の領域を指定しているＦＥの位置を記述する。
【０１１６】
最後に、ステップＳ８０５として、メタデータパーティションマップのメタデータミラーファイルロケーションフィールドに、第１の領域を指定しているＦＥの位置を記述し、一連の処理を終了する。
【０１１７】
以上説明したように、記録メディアの始点側にメタデータミラーファイルを、終点側にメインとなるメタデータファイルを配置している。このことは、例えば記録メディアが、ＤＶＤなどの光ディスクである場合、通常、ディスクの内周側から外周側に向かって記録（ファイル）データが増大された場合であっても、メタデータパーティションの拡張処理を実施した場合に、メインとなるメタデータファイルが細分化されることが低減される。
【０１１８】
すなわち、ディスクの内周側すなわち記録メディアの始点側においては、メタデータファイルが細分化（分割数が増大する）リスクが高くなることが容易に予測されるが、メインとなるメタデータファイルを記録メディアの終点側に配置することにより、メタデータファイルが細分化される虞が低減される。
【０１１９】
従って、シーク速度の低下が抑止されるとともに、ユーザの利便性の低下、例えばアクセス時間の増大などが低減される。
【０１２０】
図９は、図８により説明したフローチャートに従ってメタデータパーティションを設定した直後の記録メディア上のデータ構造の概要を示す。なお、この図９では、先に説明した図３のパーティション（３０１）の内部の状態のみを示している。ただし、説明を簡単にするため、メタデータパーティションの内容については、図４（および図６）と識別のため、それぞれ、１００位の桁を９００代とし、１０代（位の桁）と１台（位の桁）が同じデータ構造については、説明を省略している。
【０１２１】
図９では、枠外に付した“ａ”〜“ｇ”のうちの“ａ”の側が記録メディアの始点側であり、“ｇ”側が終点側である。ファイルデータは、“ａ”〜“ｇ”に向かって記録されていく。
【０１２２】
図９から明らかなように、図４により既に説明したデータ構造に比較して、図９に示すデータ構造においては、記録メディアの始点側にメタデータミラーファイル（９０３）が配置され、終点側にメインとなるメタデータファイル（９０５）が配置されている。
【０１２３】
また、タイプ２であるメタデータパーティション９０７の記述内容として、メタデータファイルローケーションが、論理ブロック番号ＬＢＮにおいて、「ｅ（終端側）」と記述されている。
【０１２４】
このデータ構造をとることにより、先に説明した通り、記録（ファイル）データが増大された場合に、メタデータパーティションの拡張を試みた場合、記録メディアの終点側に配置したメインとなるメタデータファイルは、元のメタデータファイルの領域と連続した領域を拡張領域として確保できる可能性が高まる。すなわち、メタデータファイルとメタデータミラーファイルのうちの少なくとも一方のメタデータパーティションについては、不所望に細分化（分断）されることが、低減される。
【０１２５】
以上、図面を使用して本発明の実施例を説明してきたが、本発明の内容はここに記述した形態だけに限定されるものではなく、その主旨を逸脱しない範囲で、他にも様々な形態を取り得ることはいうまでもない。また、本発明では、ディジタルビデオレコーダを例に説明したが、本発明による情報記録再生装置には、たとえばパーソナルコンピュータ（ＰＣ）なども含まれることはいうまでもない。なお、各実施の形態は、可能な限り適宜組み合わせて、もしくは一部を削除して実施されてもよく、その場合は、組み合わせもしくは削除に起因したさまざまな効果が得られる。
【図面の簡単な説明】
【０１２６】
【図１】本発明を適用した情報記録再生装置の実施の一形態を示す概略図。
【図２】ＵＤＦ２．５０のデータ構造の概要を示す概略図。
【図３】図２に示したＵＤＦ２．５０のデータ構造の特徴部を抜き出した状態を示す概略図。
【図４】メタデータパーティションを拡張する際のデータ構造の概要を表す概略図。
【図５】図３に示したデータ構造の記録メディアからの読み出しを行う際の第１の手段の概要を示すフローチャート。
【図６】図３に示したデータ構造の記録メディアからの読み出しを行う際の第２の手段の概要を示すフローチャート。
【図７】メインとなるメタデータファイルを切り換えた直後の記録メディア上のデータ構造の概要を表す概略図。
【図８】記録メディアの初期化の際におけるメタデータパーティションの設定手段の概要を示すフローチャート。
【図９】図８のフローチャートに従ってメタデータパーティションを設定した直後の記録メディア上のデータ構造の概要を表す概略図。
【符号の説明】
【０１２７】
１…ビデオレコーダ（情報記録再生装置）、３０…マイクロコンピュータブロック（主制御部）、３１…ＭＰＵ（主制御部）、５０…エンコーダ部、６０…デコーダ部、１０１…データプロセッサ、２０１…データ構造、２１２，２１３…パーティションマップ、３０１…パーティション、７１１，７１２…パーティションマップ、９０６，９０７…パーティションマップ、１００１…ディスクドライブ部、２００１…ハードディスク装置。
【図１】
2006351151.tif 000003
【図２】
2006351151.tif 000004
【図３】
2006351151.tif 000005
【図４】
2006351151.tif 000006
【図５】
2006351151.tif 000007
【図６】
2006351151.tif 000008
【図７】
2006351151.tif 000009
【図８】
2006351151.tif 000010
【図９】
2006351151.tif 000011
【手続補正書】
【提出日】平成18年7月11日(2006.7.11)
【手続補正１】
【補正対象書類名】明細書
【補正対象項目名】００６５
【補正方法】変更
【補正の内容】
【００６５】
図２では、アンカーポイント２０８が“ＬＳＮ  ＝  ２５６”の位置、アンカーポイント２０９が“ＬＳＮ  ＝  Ｎ−２５６”の位置、アンカーポイント２１１が“ＬＳＮ  ＝  Ｎ”の位置にあるものとしている。
【手続補正２】
【補正対象書類名】明細書
【補正対象項目名】００６６
【補正方法】変更
【補正の内容】
【００６６】
次に、図３により、パーティションの内部の概要を説明する。
【手続補正３】
【補正対象書類名】明細書
【補正対象項目名】００６７
【補正方法】変更
【補正の内容】
【００６７】
ここでは、先に述べたメタデータパーティションマップ２１３に記述されているＬＢＮ  ＝  ａ，ｂ，ｅの位置にファイルエントリ（ＦＥ）が存在する。
【手続補正４】
【補正対象書類名】明細書
【補正対象項目名】００７３
【補正方法】変更
【補正の内容】
【００７３】
メタデータミラーファイルを使用しているか否かは、先に述べたメタデータパーティションマップ２１３の中に存在するデュプリケートメタデータフラグによって判別する。
【手続補正５】
【補正対象書類名】明細書
【補正対象項目名】００９８
【補正方法】変更
【補正の内容】
【００９８】
まず、ステップＳ６０１においては、細分化が少ないメタデータパーティションをメインのメタデータファイルに切り換える処理が済んだことを示すフラグが、記録再生装置１にセットされているか否かを調べる（切り換え処理の有無を示すフラグが“１”であるか否かがチェックされる）。
【手続補正６】
【補正対象書類名】明細書
【補正対象項目名】０１０７
【補正方法】変更
【補正の内容】
【０１０７】
図７は、図６により説明したフローチャートに従って細分化（分割数）が少ないメタデータパーティションをメインとなるメタデータファイルに切り換えた直後の記録メディア上のデータ構造の概要を示す。なお、この図７は、先に図４として説明したの状態の記録メディアに対してメタデータファイルの切り換え処理を施した状態を示している。また、この図７では、先に説明した図３に示した、パーティション（３０１）の内部の状態のみを示している。ただし、メタデータパーティションの内容については、図４と識別のため、それぞれ、１００位の桁を７００代とし、同じデータ構造については、説明を省略している。
【手続補正７】
【補正対象書類名】明細書
【補正対象項目名】０１２０
【補正方法】変更
【補正の内容】
【０１２０】
図９は、図８により説明したフローチャートに従ってメタデータパーティションを設定した直後の記録メディア上のデータ構造の概要を示す。なお、この図９では、先に説明した図３のパーティション（３０１）の内部の状態のみを示している。ただし、メタデータパーティションの内容については、図４（および図７）と識別のため、それぞれ、１００位の桁を９００代とし、同じデータ構造については、説明を省略している。
【手続補正８】
【補正対象書類名】図面
【補正対象項目名】図３
【補正方法】変更
【補正の内容】
【図３】
2006351151.tif 000012
【手続補正９】
【補正対象書類名】図面
【補正対象項目名】図９
【補正方法】変更
【補正の内容】
【図９】
2006351151.tif 000013